(57)【要約】      （修正有）【課題】  限られた太陽電池モジュール設置可能エリアにおいて、太陽電池アレイ全体の容量を最大に得ることができ、また、デザイン上好ましい構成が可能である設計自由度の高い太陽電池アレイ構成方法を提供するとともに、発電電力を効率的に取り出すことができる太陽光発電装置を提供すること。【解決手段】  複数の低電圧太陽電池ストリング１のそれぞれの出力を電圧調整手段２を介して電気的に直列接続もしくは直並列接続し、さらに標準太陽電池ストリングの出力と電気的に並列接続した太陽光発電装置。【選択図】  図５
2006012920.tif 000002
【特許請求の範囲】
【請求項１】
垂線が略平行な複数の太陽電池モジュールを、開放電圧がパワーコンディショナの入力電圧範囲内になるように電気的に直列接続して構成される標準太陽電池ストリングを１つ有し、さらに垂線が略平行な複数の太陽電池モジュールを電気的に直列接続して構成され、前記標準太陽電池ストリングの開放電圧より低い開放電圧を有する低電圧太陽電池ストリングを複数個有する太陽光発電装置であって、前記複数の低電圧太陽電池ストリングのそれぞれの出力を電圧調整手段を介して電気的に直列接続もしくは直並列接続し、さらに前記標準太陽電池ストリングの出力と電気的に並列接続したことを特徴とする太陽光発電装置。
【請求項２】
垂線が略平行な複数の太陽電池モジュールを、開放電圧がパワーコンディショナの入力電圧範囲内になるように電気的に直列接続して構成される標準太陽電池ストリングを複数個有し、さらに垂線が略平行な複数の太陽電池モジュールを電気的に直列接続して構成され、前記複数の標準太陽電池ストリングのうち、一番低い開放電圧を有する標準太陽電池ストリングの開放電圧より低い開放電圧を有する低電圧太陽電池ストリングを複数個有する太陽光発電装置であって、前記複数の標準太陽電池ストリングの出力を電気的に並列接続するとともに、前記複数の低電圧太陽電池ストリングのそれぞれの出力を電圧調整手段を介して電気的に直列接続もしくは直並列接続し、さらに前記並列接続された複数の標準太陽電池ストリングの出力と電気的に並列接続したことを特徴とする太陽光発電装置。
【発明の詳細な説明】
【技術分野】
【０００１】
本発明は、建物の屋根上、壁面などに太陽電池モジュールを複数載置し、商用電力系統と系統連係する太陽光発電装置において、設置面の面積、形状により太陽電池モジュールの設置可能容量に制約のある場合でも、太陽電池モジュールの設置可能容量を減少させない太陽光発電装置に関するものである。
【背景技術】
【０００２】
近年、地球環境問題、省エネルギーへの関心の高まりとともに、自然エネルギーを利用した新エネルギー技術が注目されている。そのひとつとして、太陽エネルギーを利用したシステムへの関心が高く、特に、太陽光発電装置の住宅への普及が加速されてきている。
【０００３】
太陽光発電装置は太陽光を電気エネルギーに変換する太陽電池部と、太陽電池の直流出力電力を交流電力に変換するパワーコンディショナとから成り、パワーコンディショナから出力される交流電力を住宅内の交流負荷に電力供給したり、電力会社の商用電力系統に逆潮流（売電）することができる。
【０００４】
上記太陽電池部を構成する太陽電池モジュールは、その特性に応じて所望の電圧が得られるように電気的に直列接続して太陽電池ストリング（太陽電池モジュールを直列又は並列に接続したものを太陽電池ストリングと呼ぶ。）を構成し、さらに所望の出力電流が得られるように太陽電池ストリングを並列に接続し、太陽電池アレイを構成する。一般に屋根上などに太陽電池モジュールを設置する場合、直列接続された太陽電池モジュールの一部が屋根の別方角にまたがって載置されると、最も出力の低いものが抵抗となって全体の出力電流が低下する現象が生じるため、太陽電池ストリングを構成する太陽電池モジュールは同一面に設置するのが一般的である。
【０００５】
一方、パワーコンディショナの交流出力を交流負荷や商用電力系統に接続する系統連系システムにおいて、太陽電池モジュールの直流出力をパワーコンディショナに入力する場合には、パワーコンディショナの入力電圧範囲に応じて太陽電池モジュールの直列数の選択を行う必要があり、その直列可能範囲（パワーコンディショナの入力電圧範囲）を基に、所望の入力電圧、入力電流が得られるように、太陽電池モジュールの直列数と太陽電池ストリングの並列数を決定し、太陽電池アレイを構成していた。
【０００６】
ところが、日本の住宅事情をみると家屋の屋根が南向きでないものや、屋根の面積の多くが南以外の方角にあるものなど、太陽電池設置面積を日射条件の良い屋根南面のみで確保できる住宅は非常に少ないと言わざるを得ない。
【０００７】
図１は日本の住宅事情を表す屋根伏せ図の一例、図２は従来の太陽光発電装置を説明する太陽電池ストリングの電流−電圧特性曲線のグラフ、図３は従来の太陽光発電装置を説明する太陽電池ストリングの電力−電圧特性曲線のグラフである。
【０００８】
図１は住宅の屋根を上から見た図であるが、このような屋根面が多数入り組んだ複雑な屋根形状も少なくなく、屋根のそれぞれの面は小さいことが多い。また、屋根面に太陽熱温水器、天窓、煙突などが設けられて屋根の一部を占有し、太陽電池モジュールの載置を困難としていることもある。また、屋根南面の面積が十分大きくとも隣近所にビル等の高層物や樹木等があり、その陰により所望の発電量が得られないという状況も多く存在する。
【０００９】
しかし、それでも太陽電池を設置したいという消費者ニーズも増えており、そのような住宅では発電効率の低下を容認した上で、屋根南面だけでなく東西面あるいは北面にまで太陽電池を設置し、太陽電池設置容量を確保しようとしている。
【００１０】
そこで、その垂線が平行でない複数の屋根面の太陽電池モジュールで一つの太陽電池ストリングを構成する提案がなされている（例えば、特許文献１を参照）。
【００１１】
また、太陽電池の出力電圧を上昇させる昇圧回路を設けて、同一屋根面上の端数の太陽電池モジュールの出力電圧を必要電圧まで上昇させて接続する方法も提案されている（例えば、特許文献２を参照）。
【特許文献１】特開平１１−１９５８０５号公報
【特許文献２】特開平９−２９４３４０号公報
【発明の開示】
【発明が解決しようとする課題】
【００１２】
しかしながら、前述のように屋根の各方角に太陽電池モジュールを載置したとしても、それらを直列接続して太陽電池ストリングを構成しようとすると、パワーコンディショナの入力電圧範囲に十分な直列数（出力電圧）を得ようとすると屋根の南面、東面、西面、さらには北面のそれぞれの屋根面の中だけで太陽電池ストリングを構成することは難しく、多くの場合何枚分かは端数が生じてしまう。結果的に端数の太陽電池モジュールの屋根上への載置を断念するか、直列接続された太陽電池モジュールの一部の最も出力電流の低いものが抵抗となって全体の出力電流が低下する現象が生じ、発電効率が十分に得られないのを承知の上で屋根の別方角にまたがって載置することになる。また、この場合には抵抗となる太陽電池モジュールにおいて、直列接続された他の太陽電池モジュールからの電力を消費して熱を発生させるホットスポット現象が生じるため、太陽電池モジュールの寿命を縮めたり、変色や故障を生じさせるといった問題があった。
【００１３】
また、垂線が平行でない複数の屋根面の太陽電池モジュールで一つの太陽電池ストリングを構成した太陽光発電装置の場合、異なる屋根面では日射強度が異なるため太陽電池モジュールの発電電力を効率よく取り出すことができない。
【００１４】
例えば、南に傾斜した屋根面と東に傾斜した屋根面に設置した太陽電池モジュールを直列に接続して太陽電池ストリングを構成した場合を考える。南中時前後には、南面の日射強度が東面の日射強度に比較して強くなるため、それぞれの屋根面の太陽電池モジュールの電流−電圧特性は図２に示すように、南面の太陽電池モジュールの電流が大きくなり、両者を直列に接続した太陽電池ストリングの電流−電圧特性は図２に示したように２段の歪な特性となる。このときの電力−電圧特性をみると図３のようになる。このような電力−電圧特性の場合、電力の極大点が２点存在するため、パワーコンディショナの制御状況によっては最大となる点で運転できない場合が発生することに加え、最大に電力を取り出しても図３中のＰ３となる。東面、南面の太陽電池モジュールは、それぞれ最大に電力を取り出すとＰ１、Ｐ２となり両者の合計はＰ１＋Ｐ２となるがＰ３はこのＰ１＋Ｐ２の値より小さくなる。このことは、太陽電池モジュールが本来発電できる電力を効率よく取り出していないということである。
【００１５】
また、特許文献２に示す太陽電池の出力電圧を上昇させる昇圧回路を設けて、同一屋根面上の端数の太陽電池モジュールの出力電圧を必要電圧まで上昇させて接続する方法について、同一屋根面上の端数の太陽電池モジュールの数が少ない場合に昇圧幅が大きく、電力効率が悪いという問題があった。
【００１６】
以上のことに鑑みて、本発明は、限られた太陽電池モジュール設置可能エリアにおいて、太陽電池アレイ全体の容量を最大に得ることができ、また、デザイン上好ましい構成が可能である設計自由度の高い太陽電池アレイ構成方法を提供するとともに、発電電力を効率的に取り出すことができる太陽光発電装置を提供することを目的とする。
【課題を解決するための手段】
【００１７】
上記目的を達成するために、本発明の太陽光発電装置は、垂線が略平行な複数の太陽電池モジュールを、開放電圧がパワーコンディショナの入力電圧範囲内になるように電気的に直列接続して構成される標準太陽電池ストリングを１つ有し、さらに垂線が略平行な複数の太陽電池モジュールを電気的に直列接続して構成され、前記標準太陽電池ストリングの開放電圧より低い開放電圧を有する低電圧太陽電池ストリングを複数個有する太陽光発電装置であって、前記複数の低電圧太陽電池ストリングのそれぞれの出力を電圧調整手段を介して電気的に直列接続もしくは直並列接続し、さらに前記標準太陽電池ストリングの出力と電気的に並列接続したことを特徴とする。
【００１８】
また、本発明の他の太陽光発電装置は、垂線が略平行な複数の太陽電池モジュールを、開放電圧がパワーコンディショナの入力電圧範囲内になるように電気的に直列接続して構成される標準太陽電池ストリングを複数個有し、さらに垂線が略平行な複数の太陽電池モジュールを電気的に直列接続して構成され、前記複数の標準太陽電池ストリングのうち、一番低い開放電圧を有する標準太陽電池ストリングの開放電圧より低い開放電圧を有する低電圧太陽電池ストリングを複数個有する太陽光発電装置であって、前記複数の標準太陽電池ストリングの出力を電気的に並列接続するとともに、前記複数の低電圧太陽電池ストリングのそれぞれの出力を電圧調整手段を介して電気的に直列接続もしくは直並列接続し、さらに前記並列接続された複数の標準太陽電池ストリングの出力と電気的に並列接続したことを特徴とする。
【発明の効果】
【００１９】
本発明の太陽光発電装置によれば、それぞれの屋根面に照射する日射強度が異なり、電流特性が異なる太陽電池モジュールが同一太陽電池ストリングに存在しても、それぞれの発電電力を効率的に取り出すことができる。
【００２０】
さらに、このように、電流特性が異なる太陽電池モジュールが同一太陽電池ストリングに存在しても、それぞれの発電電力を効率的に取り出せることで、太陽電池ストリング構成を意識せず、住宅などの屋根面に設置可能な配置で太陽電池モジュールを配置することができ、日本に多い小さな住宅にもできるだけ多くの太陽電池モジュールを設置することができる。
【００２１】
また、太陽電池ストリング構成を意識せず、住宅などの屋根面に設置可能な配置で太陽電池モジュールを配置することができることにより、設置外観を優先して太陽電池モジュールの配置を検討することができるため、デザイン上好ましい配置で太陽電池モジュールを設置することができる。
【発明を実施するための最良の形態】
【００２２】
以下に、本発明に係る太陽光発電装置の実施形態の一例を模式的に図示した図面に基づいて詳細に説明する。なお、既に説明した同様な構成部材には、同一符号を付すものとし重複した説明を省略する。
【００２３】
図４は本発明に係る太陽光発電装置の複数の低電圧太陽電池ストリングを電圧調整手段を介して直列接続し、さらに１つの標準太陽電池ストリングと並列接続した実施例を模式的に説明するための概略構成図、図５は本発明に係る太陽光発電装置の複数の低電圧太陽電池ストリングを電圧調整手段を介して直並列接続し、さらに１つの標準太陽電池ストリングと並列接続した実施例を模式的に説明するための概略構成図、図６は本発明に係る太陽光発電装置の複数の低電圧太陽電池ストリングを電圧調整手段を介して直列接続し、さらに複数の並列接続された標準太陽電池ストリングと並列接続した実施例を模式的に説明するための概略構成図、図７は本発明に係る太陽光発電装置の複数の低電圧太陽電池ストリングを電圧調整手段を介して直並列接続し、さらに複数の並列接続された標準太陽電池ストリングと並列接続した実施例を模式的に説明するための概略構成図、図８は本発明に係る太陽光発電装置の一実施形態を模式的に説明するための屋根面への太陽電池配置図である。
【００２４】
本発明において、垂線が略平行な複数の太陽電池モジュールを、開放電圧がパワーコンディショナの入力電圧範囲内になるように電気的に直列接続して構成される太陽電池ストリングが１つ存在し、さらに垂線が略平行な複数の太陽電池モジュールを電気的に直列接続して構成され、パワーコンディショナの入力電圧範囲の下限に満たない開放電圧を有する太陽電池ストリングを複数個有する場合、開放電圧がパワーコンディショナの入力電圧範囲内にある太陽電池ストリングを標準太陽電池ストリングとし、開放電圧がパワーコンディショナの入力電圧範囲の下限に満たない開放電圧を有する、すなわち、上記標準太陽電池ストリングの開放電圧より低い開放電圧を有する太陽電池ストリングを低電圧太陽電池ストリングとする。
【００２５】
また、垂線が略平行な複数の太陽電池モジュールを、開放電圧がパワーコンディショナの入力電圧範囲内になるように電気的に直列接続して構成される太陽電池ストリングが複数個存在し、さらに垂線が略平行な複数の太陽電池モジュールを電気的に直列接続して構成され、パワーコンディショナの入力電圧範囲の下限に満たない開放電圧を有する太陽電池ストリングを有する場合、開放電圧がパワーコンディショナの入力電圧範囲内にある太陽電池ストリングのうち、一番高い開放電圧を有する太陽電池ストリングを標準太陽電池ストリングとし、残りの複数の太陽電池ストリングを低電圧太陽電池ストリングとすることができる。もしくは、開放電圧がパワーコンディショナの入力電圧範囲内にある太陽電池ストリングのうち、開放電圧の高いほうの複数の太陽電池ストリングを標準太陽電池ストリングとし、残りの複数の太陽電池ストリングを低電圧太陽電池ストリングとすることもできる。このとき、標準太陽電池ストリング毎の太陽電池素子直列枚数は同数もしくは近似値（±１０％程度の許容度を有する）であることが望ましい。
【００２６】
また、垂線が略平行な複数の太陽電池モジュールを、開放電圧がパワーコンディショナの入力電圧範囲内になるように電気的に直列接続して構成される太陽電池ストリングが３つ以上存在し、垂線が略平行な複数の太陽電池モジュールを電気的に直列接続して構成され、パワーコンディショナの入力電圧範囲の下限に満たない開放電圧を有する太陽電池ストリングが存在しない場合、開放電圧がパワーコンディショナの入力電圧範囲内にある太陽電池ストリングのうち、一番高い開放電圧を有する太陽電池ストリングを標準太陽電池ストリングとし、残りの複数の太陽電池ストリングを低電圧太陽電池ストリングとすることができる。もしくは、開放電圧がパワーコンディショナの入力電圧範囲内にある太陽電池ストリングのうち、開放電圧の高いほうの複数の太陽電池ストリングを標準太陽電池ストリングとし、残りの複数の太陽電池ストリングを低電圧太陽電池ストリングとすることもできる。このとき、標準太陽電池ストリング毎の太陽電池素子直列枚数は同数もしくは近似値（±１０％程度の許容度を有する）であることが望ましい。
【００２７】
また、本発明において、複数の低電圧太陽電池ストリングのそれぞれを電圧調整手段を介して直列接続したものを非標準太陽電池ストリングとする。
【００２８】
さらに、太陽電池モジュールの垂線は太陽電池モジュールの受光面に対し垂直な直線とし、太陽電池ストリングの垂線は太陽電池ストリング内の太陽電池モジュールの受光面に対し垂直な直線とする。太陽電池ストリング内の太陽電池モジュールの垂線は互いに略平行である。本発明者らが行なった実験結果によると、略平行した太陽電池モジュールの垂線と垂線との成す角度が３度以下であれば、日射強度の差が小さく、その差が１％未満であるので、望ましい。
【００２９】
図４に示すように、太陽光発電装置は、垂線が略平行な複数の太陽電池モジュールを、開放電圧がパワーコンディショナの入力電圧範囲内になるように電気的に直列接続して構成される標準太陽電池ストリング１ａと、垂線が略平行な複数の太陽電池モジュールを電気的に直列接続して構成され、前記パワーコンディショナの入力電圧範囲の下限に満たない開放電圧を有する低電圧太陽電池ストリング１ｂ、１ｃを電圧調整手段２（２ｂ、２ｃ）を介して直列接続して非標準太陽電池ストリングを構成し、それぞれ接続箱３に含まれる逆流防止ダイオード３１に接続した後に並列接続し、太陽電池ストリングの発電電力をパワーコンディショナ４を介して負荷である交流負荷５や商用電力系統６に供給するようにしたものである。このとき、上記に述べたように低電圧太陽電池ストリングの垂線と垂線が３度以下であれば、日射強度の差が小さく、その差が１％未満であるので、低電圧太陽電池ストリング１ｂの垂線と低電圧太陽電池ストリング１ｃの垂線との成す角度が３度以上であることは望ましい。そのとき、本発明の効果を発揮する。
【００３０】
なお、図４において、複数の低電圧太陽電池ストリングのそれぞれを電圧調整手段を介して直列接続し、さらに１つの標準太陽電池ストリングと並列接続した例を示しているが、図５に示すように、複数の低電圧太陽電池ストリングを電圧調整手段を介して直並列接続し、さらに１つの標準太陽電池ストリングと並列接続した実施例、図６に示すように、複数の低電圧太陽電池ストリングを電圧調整手段を介して直列接続し、さらに複数の並列接続された標準太陽電池ストリングと並列接続した実施例、図７に示すように、複数の低電圧太陽電池ストリングを電圧調整手段を介して直並列接続し、さらに複数の並列接続された標準太陽電池ストリングと並列接続した実施例でもよい。多くの標準太陽電池ストリング、または多くの非標準太陽電池ストリングが含まれ得ることはいうまでもない。ただし、標準太陽電池ストリングが複数の場合は、標準太陽電池ストリング毎の太陽電池素子直列枚数は同数もしくは近似値（±１０％程度の許容度を有する）であることが望ましい。なお、低電圧太陽電池ストリング毎の太陽電池素子直列枚数は同数でなくてもよい。
【００３１】
具体的には、一例として、図８に示すように、寄棟形状の住宅の屋根に大小２種類の太陽電池モジュールを設置する場合、屋根面７１および屋根面７２は同一方位（南向き）、同一傾斜であるので、それぞれの垂線は平行で、かつ単一の屋根面に設置されているものとして取り扱える。
【００３２】
したがって、これらの面には屋根面７１の２４枚と屋根面７２の５枚を合わせて２９枚の太陽電池モジュール（大１５枚、小１４枚）が設置でき、これらを直列接続することにより標準太陽電池ストリングを形成する。
【００３３】
一方、東向きの屋根面７３には太陽電池モジュールが１１枚（大７枚、小４枚）、西向きの屋根面７４には太陽電池モジュールが５枚（小５枚）それぞれ設置できる。東西それぞれの屋根面では、パワーコンディショナの入力電圧範囲には達しないため、それぞれ単独では標準太陽電池ストリングにはなり得ない。そこで本発明に係る太陽光発電装置においては、南向き屋根面（屋根面７１および屋根面７２）に設置した太陽電池モジュールを直列にして図４における標準太陽電池ストリング１ａとし、屋根面７３、屋根面７４に設置した太陽電池モジュールをそれぞれ直列にした太陽電池ストリングを低電圧太陽電池ストリング１ｂ、１ｃとして構成する。
【００３４】
次に、電圧調整手段２について詳細に説明する。
【００３５】
図９は図４の太陽光発電装置に含まれる電圧調整手段の一例を模式的に示すブロック図である。
【００３６】
図９に示すように、電圧調整手段２（２ｂ、２ｃ）は、太陽電池ストリングの出力電力から電圧調整手段を駆動させる電源を得るための電源部２３、入力側および出力側の状態を検出するとともに、太陽電池ストリングを最大電力出力動作点で動作させるための制御部２２、制御部２２が行う制御により、太陽電池ストリングからの入力電圧を昇降圧する昇降圧部２４から構成されている。
【００３７】
電圧調整手段２（２ｂ、２ｃ）の入力側は、制御部２２によりＭＰＰＴ（最大電力点追従  Ｍｕｘｉｍｕｍ  Ｐｏｗｅｒ  Ｐｏｉｎｔ  Ｔｒａｃｋｉｎｇ）制御を行なうことにより、接続される太陽電池ストリングの最大電力出力点で動作することが可能であり、よって接続される太陽電池ストリングの最大電力出力を得ることができる。
【００３８】
また、電圧調整手段２ｂ、２ｃが直列接続されているため、電圧調整手段２ｂと２ｃの出力側の電流は自動的に同一となっている。
【００３９】
一方、電圧調整手段２（２ｂ、２ｃ）の出力側の電圧は、標準太陽電池ストリングの電力と合成される時点で標準太陽電池ストリングの出力電流よりも非標準太陽電池ストリングの出力電流が少なければ自動的に電圧が降下するので、基本的に出力電圧の監視や追従制御などの出力電圧の制御が不要であり、電圧調整手段２ｂ、２ｃを直列にした電圧はパワーコンディショナの入力電圧である標準太陽電池ストリングの出力電圧と等しくなる。
【００４０】
また、非標準太陽電池ストリングの太陽電池素子の直列数が標準太陽電池ストリングの太陽電池素子の直列数よりも多い場合にも、電圧調整手段２の出力電圧がパワーコンディショナの入力電圧範囲を超えないようになるので、パワーコンディショナを破壊することはない。
【００４１】
このようにして決められる電圧調整手段２（２ｂ、２ｃ）の入力電圧と出力電圧により昇降圧比は自動的に調整されることとなる。すなわち、設置時の昇降圧比の設定が不要であり、設置工数の削減が可能で、なおかつ誤設定による動作不良を無くすことができる。
【００４２】
なお、電圧調整手段２（２ｂ、２ｃ）自身に接続されている太陽電池ストリングからのエネルギーをその駆動エネルギーとして利用することによって、電圧調整手段２（２ｂ、２ｃ）は太陽電池ストリングが動作する昼間の間だけそれと同時に動作し、夜間においては自動的に停止されることになり、余計な電力消費が生じないようにすることができる。
【００４３】
また、例えば、非標準太陽電池ストリングが、図８中の屋根面７２、屋根面７３及び屋根面７４の直列であるというように複数の屋根面もしくは同一屋根面における複数の太陽電池モジュール群にわたる場合には電圧調整手段２を３つ以上とすればよい。
【００４４】
また、標準太陽電池ストリングが２つ以上の場合にはそれらすべてが標準太陽電池ストリングとして扱われるものであり、標準太陽電池ストリングが並列接続された合成出力電力がパワーコンディショナに入力されるものである。
【００４５】
また、特に図示しないが本発明における非標準太陽電池ストリングは、標準太陽電池ストリングの電圧やパワーコンディショナの入力電圧範囲よりも高い電圧（直列数）としてもよく、この場合には電圧調整手段２を主に降圧制御としてパワーコンディショナの入力電圧範囲内になるようにするので、システム構成や制御原理は上述した昇圧制御と同様である。また、電圧調整手段２、接続箱３は、パワーコンディショナ４と一体としても良い。
【００４６】
なお、本発明の実施形態は上述の例にのみ限定されるものではなく、本発明の要旨を逸脱しない範囲内において種々変更を加え得ることはもちろんである。
【図面の簡単な説明】
【００４７】
【図１】日本の住宅事情を表す屋根伏せ図の一例である。
【図２】従来の太陽光発電装置を説明する太陽電池ストリングの電流−電圧特性曲線のグラフである。
【図３】従来の太陽光発電装置を説明する太陽電池ストリングの電力−電圧特性曲線のグラフである。
【図４】本発明に係る太陽光発電装置の複数の低電圧太陽電池ストリングを電圧調整手段を介して直列接続し、さらに１つの標準太陽電池ストリングと並列接続した実施例を模式的に説明するための概略構成図である。
【図５】本発明に係る太陽光発電装置の複数の低電圧太陽電池ストリングを電圧調整手段を介して直並列接続し、さらに１つの標準太陽電池ストリングと並列接続した実施例を模式的に説明するための概略構成図である。
【図６】本発明に係る太陽光発電装置の複数の低電圧太陽電池ストリングを電圧調整手段を介して直列接続し、さらに複数の並列接続された標準太陽電池ストリングと並列接続した実施例を模式的に説明するための概略構成図である。
【図７】本発明に係る太陽光発電装置の複数の低電圧太陽電池ストリングを電圧調整手段を介して直並列接続し、さらに複数の並列接続された標準太陽電池ストリングと並列接続した実施例を模式的に説明するための概略構成図である。
【図８】本発明に係る太陽光発電装置の一実施形態を模式的に説明するための屋根面への太陽電池配置図である。
【図９】図４の太陽光発電装置に含まれる電圧調整手段の一例を模式的に示すブロック図である。
【符号の説明】
【００４８】
１：太陽電池ストリング
１ａ：標準太陽電池ストリング
１ｂ：１ｃ、１ｅ、１ｄ、１ｆ：低電圧太陽電池ストリング
２：２ｂ、２ｃ、２ｅ、２ｄ、２ｆ：電圧調整手段
３：接続箱
４：パワーコンディショナ
５：交流負荷
６：商用電力系統
２２：制御部
２３：電源部
２４：昇圧部
３１：逆流防止ダイオード
７１：屋根面（南面）
７２：屋根面（南面）
７３：屋根面（東面）
７４：屋根面（西面）
【図１】
2006012920.tif 000003
【図２】
2006012920.tif 000004
【図３】
2006012920.tif 000005
【図４】
2006012920.tif 000006
【図５】
2006012920.tif 000007
【図６】
2006012920.tif 000008
【図７】
2006012920.tif 000009
【図８】
2006012920.tif 000010
【図９】
2006012920.tif 000011